(57)【要約】  ユーザ端末（２０）は、復調用参照信号を含む下りリンク信号を受信する受信部（２０２）と、下りリンク信号から復調用参照信号を分離する制御部（２０３）と、復調用参照信号を用いてチャネル推定値を算出するチャネル推定部（２０４）と、を具備する。受信部（２０２）は、複数のポートのうちユーザ端末（２０）に割り当てられたポートを示す割当情報と、複数のポートそれぞれの復調用参照信号を配置するリソース要素を規定する第１のマッピングパターンおよび第１のマッピングパターンに含まれる第２のマッピングパターンから選択されたマッピングパターンを示すパターン情報を受信し、制御部（２０３）は、パターン情報が示すマッピングパターンに基づいて、下りリンク信号からユーザ端末（２０）に割り当てられたポートの復調用参照信号を分離する。
2018229955.tif 000002
【特許請求の範囲】
【請求項１】
復調用参照信号を含む下りリンク信号を受信する受信部と、
前記下りリンク信号から前記復調用参照信号を分離する制御部と、
前記復調用参照信号を用いてチャネル推定値を算出するチャネル推定部と、を具備するユーザ端末であって、
前記受信部は、複数のポートのうち前記ユーザ端末に割り当てられたポートを示す割当情報と、前記複数のポートそれぞれの前記復調用参照信号を配置するリソース要素を規定する第１のマッピングパターンおよび前記第１のマッピングパターンに含まれる第２のマッピングパターンから選択されたマッピングパターンを示すパターン情報とを受信し、
前記制御部は、前記パターン情報が示すマッピングパターンに基づいて、前記ユーザ端末に割り当てられたポートの前記復調用参照信号を前記下りリンク信号から分離する、
ユーザ端末。
【請求項２】
前記第１のマッピングパターンにおいて前記復調用参照信号を配置する第１のシンボル数は、前記第２のマッピングパターンにおいて前記復調用参照信号を配置する第２のシンボル数よりも多い、
請求項１に記載のユーザ端末。
【請求項３】
前記第１のマッピングパターンが選択された場合、前記パターン情報は、前記第１のシンボル数の情報を含み、
前記第２のマッピングパターンが選択された場合、前記パターン情報は、前記第２のシンボル数の情報を含む、
請求項２に記載のユーザ端末。
【請求項４】
前記第１のマッピングパターンに規定される第１のポート数は、前記第２のマッピングパターンに規定される第２のポート数よりも多い、
請求項２に記載のユーザ端末。
【請求項５】
前記第１のマッピングパターンが選択された場合、前記パターン情報は、前記第１のポート数の情報を含み、
前記第２のマッピングパターンが選択された場合、前記パターン情報は、前記第２のポート数の情報を含む、
請求項４に記載のユーザ端末。
【請求項６】
複数のポートのうち割り当てられたポートを示す割当情報と、前記複数のポートそれぞれの復調用参照信号を配置するリソース要素を規定する第１のマッピングパターンおよび前記第１のマッピングパターンに含まれる第２のマッピングパターンから選択されたマッピングパターンを示すパターン情報とを受信し、
前記復調用参照信号を含む下りリンク信号を受信し、
前記パターン情報が示すマッピングパターンに基づいて、割り当てられたポートの前記復調用参照信号を前記下りリンク信号から分離し、
前記復調用参照信号を用いてチャネル推定値を算出する、チャネル推定方法。
【発明の詳細な説明】
【技術分野】
【０００１】
本発明は、ユーザ端末及びチャネル推定方法に関する。
【背景技術】
【０００２】
ＵＭＴＳ（Universal Mobile Telecommunication System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システムも検討されている。ＬＴＥの後継システムには、例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれるものがある。【０００３】
将来の無線通信システム（例えば、５Ｇ）では、低いキャリア周波数から高いキャリア周波数まで幅広い周波数をサポートすることが期待されている。例えば、低いキャリア周波数、高いキャリア高周波数などの周波数帯毎に伝搬路環境（例えば、通信品質および周波数選択性）および／または要求条件（サポートする端末の移動速度等）が大きく異なることから、将来の無線通信システムでは、参照信号等の配置（マッピング）を柔軟にサポートすることが望まれる。【０００４】
例えば、将来の無線通信システムでは、参照信号の位置および／または数が異なる複数のマッピングパターンの中で切替えることが検討されている。
【先行技術文献】
【非特許文献】
【０００５】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【発明の概要】
【発明が解決しようとする課題】
【０００６】
しかしながら、一方の無線通信装置（例えば、無線基地局（ｇＮＢ））が、他方の無線通信装置（例えば、ユーザ端末（ＵＥ））に送信する参照信号の配置を示すマッピングパターンを、複数のマッピングパターンの中で切替えた場合、２つの無線通信装置が想定するマッピングパターンに齟齬が生じてしまう。その結果、参照信号を受信する無線通信装置（例えば、ユーザ端末（ＵＥ））は、送信された参照信号を適切に受信することができないため、チャネルの推定精度の劣化が生じるおそれがある。【０００７】
本発明はかかる点に鑑みてなされたものであり、参照信号を適切に受信でき、チャネルの推定精度の劣化を回避できるユーザ端末及びチャネル推定方法を提供することを目的の一つとする。
【課題を解決するための手段】
【０００８】
本発明の一態様に係るユーザ端末は、復調用参照信号を含む下りリンク信号を受信する受信部と、前記下りリンク信号から前記復調用参照信号を分離する制御部と、前記復調用参照信号を用いてチャネル推定値を算出するチャネル推定部と、を具備するユーザ端末であって、前記受信部は、複数のポートのうち前記ユーザ端末に割り当てられたポートを示す割当情報と、前記複数のポートそれぞれの前記復調用参照信号を配置するリソース要素を規定する第１のマッピングパターンおよび前記第１のマッピングパターンに含まれる第２のマッピングパターンから選択されたマッピングパターンを示すパターン情報とを受信し、前記制御部は、前記パターン情報が示すマッピングパターンに基づいて、前記ユーザ端末に割り当てられたポートの前記復調用参照信号を前記下りリンク信号から分離する。
【発明の効果】
【０００９】
本発明の一態様によれば、参照信号を適切に受信でき、チャネルの推定精度の劣化を抑制できる。
【図面の簡単な説明】
【００１０】
【図１】本発明の一実施の形態に係る無線基地局の全体構成の一例を示すブロック図である。
【図２】本発明の一実施の形態に係るユーザ端末の全体構成の一例を示すブロック図である。
【図３】第１の例のマッピングパターンを示す図である。
【図４】図３のマッピングパターンそれぞれにおけるレイヤ＃１とレイヤ＃２のＤＭＲＳの配置を示す図である。
【図５】第２の例のマッピングパターンを示す図である。
【図６】ミニスロットにおける第１の例のマッピングパターンを示す図である。
【図７】ミニスロットにおける第２の例のマッピングパターンを示す図である。
【図８】ミニスロットにおける第３の例のマッピングパターンを示す図である。
【図９】ミニスロットにおける第４の例のマッピングパターンを示す図である。
【図１０】本発明の一実施の形態に係る無線基地局及びユーザ端末のハードウェア構成の一例を示す図である。
【発明を実施するための形態】
【００１１】
以下、本発明の各実施の形態について図面を参照して詳細に説明する。
【００１２】
（一実施の形態）
本実施の形態に係る無線通信システムは、少なくとも、図１に示す無線基地局１０（例えば、ｇＮＢ（ｇＮｏｄｅＢ）とも呼ばれる）、及び、図２に示すユーザ端末２０（例えば、ＵＥ（User Equipment）とも呼ばれる）を備える。ユーザ端末２０は、無線基地局１０に接続している。
【００１３】
無線基地局１０は、ユーザ端末２０に対して、下り制御チャネル（例えば、ＰＤＣＣＨ：Physical Downlink Control Channel）を用いて下りリンク（ＤＬ）制御信号を送信し、下りデータチャネル（例えば、下り共有チャネル：ＰＤＳＣＨ：Physical Downlink Shared Channel）を用いてＤＬデータ信号及びＤＬデータ信号を復調するための復調用参照信号（Demodulation Reference Signal、以下、ＤＭＲＳ）を送信する。また、ユーザ端末２０は、無線基地局１０に対して、上り制御チャネル（例えば、ＰＵＣＣＨ：Physical Uplink Control Channel）もしくは上りデータチャネル（例えば、上り共有チャネル：ＰＵＳＣＨ：Physical Uplink Shared Channel）を用いて上りリンク（ＵＬ）制御信号を送信し、上りデータチャネル（例えば、上り共有チャネル：ＰＵＳＣＨ：Physical Uplink Shared Channel）を用いてＵＬデータ信号及びＤＭＲＳを送信する。
【００１４】
なお、無線基地局１０及びユーザ端末２０が送受信する下りチャネル及び上りチャネルは、上記のＰＤＣＣＨ、ＰＤＳＣＨ、ＰＵＣＣＨ、ＰＵＳＣＨ等に限定されず、例えば、ＰＢＣＨ（Physical Broadcast Channel）、ＲＡＣＨ（Random Access Channel）等の他のチャネルでもよい。
【００１５】
また、図１及び図２では、無線基地局１０及びユーザ端末２０において生成されるＤＬ／ＵＬの信号波形は、ＯＦＤＭ（Orthogonal Frequency Division Multiplexing）変調に基づく信号波形でもよく、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよく、他の信号波形でもよい。図１及び図２では、信号波形を生成するための構成部（例えば、IFFT処理部、CP付加部、CP除去部、FFT処理部等）の記載を省略している。
【００１６】
＜無線基地局＞
図１は、本実施の形態に係る無線基地局１０の全体構成の一例を示すブロック図である。図１に示す無線基地局１０は、スケジューラ１０１と、送信信号生成部１０２と、符号化・変調部１０３と、マッピング部１０４と、送信部１０５と、アンテナ１０６と、受信部１０７と、制御部１０８と、チャネル推定部１０９と、復調・復号部１１０と、を含む構成を採る。なお、無線基地局１０は、複数のユーザ端末２０と同時に通信を行うＭＵ−ＭＩＭＯ（Multi-User Multiple-Input Multiple-Output）の構成を有していても良く、１つのユーザ端末２０と通信を行うＳＵ−ＭＩＭＯ（Single-User Multiple-Input Multiple-Output）の構成を有していても良い。
【００１７】
スケジューラ１０１は、ＤＬ信号（ＤＬデータ信号、ＤＬ制御信号及びＤＭＲＳ等）のスケジューリング（例えば、リソース割当）を行う。また、スケジューラ１０１は、ＵＬ信号（ＵＬデータ信号、ＵＬ制御信号及びＤＭＲＳ等）のスケジューリング（例えば、リソース割当、レイヤ（ポート）割当）を行う。ポートとは、複数のレイヤにて、ユーザ端末２０毎に論理的に割り当てられるＤＭＲＳ等のマッピングパターンを意味する。なお、本実施の形態では、ポートとレイヤとが１対１に対応するとして説明するが、本発明はこれに限定されない。ポートおよび／またはレイヤは、異なる用語で定義されても良い。
【００１８】
スケジューリングにおいて、スケジューラ１０１は、各ユーザ端末２０に割り当てるレイヤ（ポート番号）を設定する。
【００１９】
また、スケジューリングにおいて、スケジューラ１０１は、ＤＬ信号のＤＭＲＳがマッピングされるリソース要素を示すマッピングパターンを予め複数用意し、例えば、ユーザ端末２０の多重数、および、各ユーザ端末２０に割り当てるレイヤ（ポート番号）に基づいて、複数のマッピングパターンを切替えて、１つのマッピングパターンを選択する。複数用意されるマッピングパターンは、ＤＭＲＳの配置の一部が互いに異なる。また、マッピングパターンは、複数のレイヤに渡ってＤＭＲＳをマッピングするリソース要素を規定する。
【００２０】
各ユーザ端末２０に割り当てたポート番号の情報（割当情報）および選択されたマッピングパターンを示す情報（パターン情報）は、例えば、上位レイヤ（例えば、ＲＲＣ（Radio Resource Control）又はＭＡＣ（Medium Access Control））シグナリングによって各ユーザ端末２０へ通知されてもよく、物理レイヤ（ＰＨＹ）シグナリングによって各ユーザ端末２０へ通知されてもよい。
【００２１】
また、シグナリングは、各ユーザ端末２０に個別に行われても良いし、特定の単位毎に行われても良い。例えば、割り当てるリソースユニット毎、サブバンド毎、リソースブロックグループ（ＲＢＧ：Resource Block Group）毎、コンポーネントキャリア（ＣＣ：Component Carrier）毎、セル毎、キャリア周波数毎に共通のシグナリングとしても良い。
【００２２】
また、シグナリングは、周期的に実行されても良いし、動的に実行されても良い。
【００２３】
スケジューラ１０１は、割当情報および／またはパターン情報を含むスケジューリング情報を送信信号生成部１０２及びマッピング部１０４に出力する。
【００２４】
スケジューラ１０１における、マッピングパターンの具体例およびパターン情報の具体例については後述する。
【００２５】
また、スケジューラ１０１は、例えば、無線基地局１０とユーザ端末２０との間のチャネル品質に基づいて、ＤＬデータ信号及びＵＬデータ信号のＭＣＳ（Modulation and Coding Scheme）（符号化率、変調方式等）を設定し、ＭＣＳ情報を送信信号生成部１０２及び符号化・変調部１０３へ出力する。なお、ＭＣＳは、無線基地局１０が設定する場合に限定されず、ユーザ端末２０が設定してもよい。ユーザ端末２０がＭＣＳを設定する場合、無線基地局１０は、ユーザ端末２０からＭＣＳ情報を受信すればよい（図示せず）。
【００２６】
送信信号生成部１０２は、送信信号（ＤＬデータ信号、ＤＬ制御信号を含む）を生成する。例えば、ＤＬ制御信号には、スケジューラ１０１から出力されたスケジューリング情報（例えば、ＤＬデータ信号のリソース割当情報）又はＭＣＳ情報を含む下り制御情報（ＤＣＩ：Downlink Control Information）が含まれる。送信信号生成部１０２は、生成した送信信号を符号化・変調部１０３に出力する。
【００２７】
符号化・変調部１０３は、例えば、スケジューラ１０１から入力されるＭＣＳ情報に基づいて、送信信号生成部１０２から入力される送信信号に対して、符号化処理及び変調処理を行う。符号化・変調部１０３は、変調後の送信信号をマッピング部１０４に出力する。
【００２８】
マッピング部１０４は、スケジューラ１０１から入力されるスケジューリング情報（例えば、ＤＬのリソース割当、各ユーザ端末２０に割り当てたポート番号、および、ＤＭＲＳのマッピングパターン）に基づいて、符号化・変調部１０３から入力される送信信号を所定の無線リソース（ＤＬリソース）にマッピングする。また、マッピング部１０４は、スケジューリング情報に基づいて、参照信号（例えば、ＤＭＲＳ）を所定の無線リソース（ＤＬリソース）にマッピングする。マッピング部１０４は、無線リソースにマッピングされたＤＬ信号を送信部１０５に出力する。
【００２９】
送信部１０５は、マッピング部１０４から入力されるＤＬ信号に対して、アップコンバート、増幅等の送信処理を行い、無線周波数信号（ＤＬ信号）をアンテナ１０６から送信する。
【００３０】
受信部１０７は、アンテナ１０６で受信された無線周波数信号（ＵＬ信号）に対して、増幅、ダウンコンバート等の受信処理を行い、ＵＬ信号を制御部１０８に出力する。
【００３１】
制御部１０８は、スケジューラ１０１から入力されるスケジューリング情報（ＵＬのリソース割当）に基づいて、受信部１０７から入力されるＵＬ信号からＵＬデータ信号及びＤＭＲＳを分離（デマッピング）する。そして、制御部１０８は、ＵＬデータ信号を復調・復号部１１０に出力しＤＭＲＳをチャネル推定部１０９に出力する。
【００３２】
チャネル推定部１０９は、ＵＬ信号のＤＭＲＳを用いてチャネル推定を行い、推定結果であるチャネル推定値を復調・復号部１１０に出力する。
【００３３】
復調・復号部１１０は、チャネル推定部１０９から入力されるチャネル推定値に基づいて、制御部１０８から入力されるＵＬデータ信号に対して復調及び復号処理を行う。復調・復号部１１０は、復調後のＵＬデータ信号を、アプリケーション部（図示せず）に転送する。なお、アプリケーション部は、物理レイヤ又はＭＡＣレイヤより上位のレイヤに関する処理などを行う。
【００３４】
＜ユーザ端末＞
図２は、本実施の形態に係るユーザ端末２０の全体構成の一例を示すブロック図である。図２に示すユーザ端末２０は、アンテナ２０１と、受信部２０２と、制御部２０３と、チャネル推定部２０４と、復調・復号部２０５と、送信信号生成部２０６と、符号化・変調部２０７と、マッピング部２０８と、送信部２０９と、を含む構成を採る。
【００３５】
受信部２０２は、アンテナ２０１で受信された無線周波数信号（ＤＬ信号）に対して、増幅、ダウンコンバート等の受信処理を行い、ＤＬ信号を制御部２０３に出力する。ＤＬ信号には、少なくとも、ＤＬデータ信号及びＤＭＲＳが含まれる。
【００３６】
制御部２０３は、受信部２０２から入力されるＤＬ信号からＤＬ制御信号及びＤＭＲＳを分離（デマッピング）する。そして、制御部２０３は、ＤＬ制御信号を復調・復号部２０５に出力し、ＤＭＲＳをチャネル推定部２０４に出力する。
【００３７】
その際、制御部２０３は、予め通知されたパターン情報が示すマッピングパターンに基づいて、割当情報が示す割り当てられたレイヤ（ポート番号）のＤＭＲＳの受信を制御する。
【００３８】
また、制御部２０３は、復調・復号部２０５から入力されるスケジューリング情報（例えば、ＤＬのリソース割当情報）に基づいて、ＤＬ信号からＤＬデータ信号を分離（デマッピング）し、ＤＬデータ信号を復調・復号部２０５に出力する。
【００３９】
チャネル推定部２０４は、分離したＤＭＲＳを用いてチャネル推定を行い、推定結果であるチャネル推定値を復調・復号部２０５に出力する。
【００４０】
復調・復号部２０５は、制御部２０３から入力されるＤＬ制御信号を復調する。また、復調・復号部２０５は、復調後のＤＬ制御信号に対して復号処理（例えば、ブラインド検出処理）を行う。復調・復号部２０５は、ＤＬ制御信号を復号することによって得られた自機宛てのスケジューリング情報（ＤＬ／ＵＬのリソース割当）を制御部２０３及びマッピング部２０８に出力し、ＵＬデータ信号に対するＭＣＳ情報を符号化・変調部２０７へ出力する。
【００４１】
また、復調・復号部２０５は、制御部２０３から入力されるＤＬ制御信号に含まれるＤＬデータ信号に対するＭＣＳ情報に基づいて、チャネル推定部２０４から入力されるチャネル推定値を用いて制御部２０３から入力されるＤＬデータ信号に対して復調及び復号処理を行う。また、復調・復号部２０５は、復調後のＤＬデータ信号をアプリケーション部（図示せず）に転送する。なお、アプリケーション部は、物理レイヤ又はＭＡＣレイヤより上位のレイヤに関する処理などを行う。
【００４２】
送信信号生成部２０６は、送信信号（ＵＬデータ信号又はＵＬ制御信号を含む）を生成し、生成した送信信号を符号化・変調部２０７に出力する。
【００４３】
符号化・変調部２０７は、例えば、復調・復号部２０５から入力されるＭＣＳ情報に基づいて、送信信号生成部２０６から入力される送信信号に対して、符号化処理及び変調処理を行う。符号化・変調部２０７は、変調後の送信信号をマッピング部２０８に出力する。
【００４４】
マッピング部２０８は、復調・復号部２０５から入力されるスケジューリング情報（ＵＬのリソース割当）に基づいて、符号化・変調部２０７から入力される送信信号を所定の無線リソース（ＵＬリソース）にマッピングする。また、マッピング部２０８は、スケジューリング情報（例えば、ＤＭＲＳのユーザパターンを含むマッピング設定）に基づいて、参照信号（例えば、ＤＭＲＳ）を所定の無線リソース（ＵＬリソース）にマッピングする。
【００４５】
送信部２０９は、マッピング部２０８から入力されるＵＬ信号（少なくともＵＬデータ信号及びＤＭＲＳを含む）に対して、アップコンバート、増幅等の送信処理を行い、無線周波数信号（ＵＬ信号）をアンテナ２０１から送信する。
【００４６】
次に、マッピングパターンの具体例およびパターン情報の具体例について説明する。
【００４７】
はじめに、第１の例として、８レイヤのＤＭＲＳのマッピングパターンと、４レイヤのＤＭＲＳのマッピングパターンの例を説明する。
【００４８】
なお、以下の説明において、複数のユーザ端末２０を区別するために、ユーザ端末＃１、ユーザ端末＃２などと記載し、各ユーザ端末２０に設定されるユーザパターンを区別するために、ユーザパターン＃１、＃２などと記載する。
【００４９】
＜第１の例＞
図３は、第１の例のマッピングパターンを示す図である。図３には、８レイヤのＤＭＲＳのマッピングパターン＃１と、４レイヤのＤＭＲＳのマッピングパターン＃２が示される。各マッピングパターンは、リソース割り当て単位となるリソースユニット（ＲＵ：Resource Unit）（リソースブロック、リソースブロックペア等とも呼ばれる）における、各レイヤのＤＭＲＳのマッピング位置を示す。
【００５０】
ＲＵは、１６８個のリソース要素（ＲＥ：Resource Element）が時間方向に１４個、周波数方向に１２個並んだ構成を有する。１ＲＥは、１シンボルと１サブキャリアとにより定義される無線リソース領域である。つまり、１つのＲＵは、１４シンボルと１２サブキャリアとにより構成される。
【００５１】
なお、以下の説明では、ＲＵの時間方向の１４シンボルを左から順にＳＢ１〜ＳＢ１４と呼ぶ。また、ＲＵの周波数方向の１２サブキャリアを下から順にＳＣ１〜ＳＣ１２と呼ぶ。
【００５２】
ＲＵの先頭の２シンボル（つまり、ＳＢ１およびＳＢ２）のＲＥには、制御信号チャネル（例えば、ＰＤＣＣＨ）が配置される。
【００５３】
マッピングパターン＃１は、レイヤ＃１〜レイヤ＃８（Layer #1〜Layer #8）の８レイヤのＤＭＲＳが２つの連続するシンボル（ＳＢ３およびＳＢ４）において配置されるパターンである。マッピングパターン＃２は、レイヤ＃１〜レイヤ＃４の４レイヤのＤＭＲＳが１つのシンボル（ＳＢ３）において配置されるパターンである。
【００５４】
マッピングパターン＃１において、同一のＲＥに配置される異なるレイヤのＤＭＲＳ（例えば、ＳＣ１のＳＢ３とＳＢ４に配置されるレイヤ＃１、レイヤ＃２、レイヤ＃５およびレイヤ＃７のＤＭＲＳ）は、例えば、RepetitionまたはＴＤ−ＯＣＣ（時間方向のＯＣＣ（Orthogonal cover code）系列による多重）により多重される。
【００５５】
マッピングパターン＃２のＳＢ３におけるレイヤ＃１〜レイヤ＃４のＤＭＲＳの配置は、マッピングパターン＃１のＳＢ３におけるレイヤ＃１〜レイヤ＃４のＤＭＲＳの配置と同様である。つまり、マッピングパターン＃２の配置は、マッピングパターン＃１の配置の一部から構成され、マッピングパターン＃１の配置は、マッピングパターン＃２の配置を含む構成を採る。
【００５６】
無線基地局１０は、各ユーザ端末２０に対してレイヤ（ポート番号）を割り当て、マッピングパターン＃１またはマッピングパターン＃２のいずれかを選択し、選択したマッピングパターンに基づいて、各ユーザ端末２０に割り当てたレイヤ（ポート番号）のＤＭＲＳを含む下りリンク信号を送信する。
【００５７】
ここで、無線基地局１０が、複数のユーザ端末２０（例えば、ユーザ端末＃１および＃２）それぞれに対して、レイヤ＃１とレイヤ＃２（ポート＃１およびポート＃２）およびレイヤ＃３〜レイヤ＃６（ポート＃３〜ポート＃６）を割り当てる例について説明する。
【００５８】
図４は、図３のマッピングパターンそれぞれにおけるレイヤ＃１とレイヤ＃２のＤＭＲＳの配置を示す図である。
【００５９】
無線基地局１０が、ユーザ端末＃１に対して、レイヤ＃１とレイヤ＃２（ポート＃１およびポート＃２）を割り当て、その割り当てたポート番号の情報を通知し、ユーザ端末＃２に対して、レイヤ＃３〜レイヤ＃６（ポート＃３〜ポート＃６）を割り当て、その割り当てたポート番号の情報を通知する。
【００６０】
例えば、１〜４レイヤ送信時はマッピングパターン＃２、５〜８レイヤ送信時はマッピングパターン＃１のように、送信レイヤ数に応じていずれのマッピングパターンを適用するかが一意に決まっている場合、無線基地局１０は、適用するマッピングパターンを図３のマッピングパターン＃１に設定し、各ユーザ端末２０宛のＤＭＲＳを送信する。一方で、自端末へ割り当てられたポート番号の情報のみ通知されるユーザ端末＃１は、無線基地局１０によって適用されるマッピングパターンが図３のマッピングパターン＃２であると認識する。そのため、無線基地局１０がユーザ端末＃１宛に送信するＤＭＲＳのパターンは、図４のＤＭＲＳパターン＃１であるが、一方で、無線基地局１０によって割り当てられたポート番号の情報の通知のみを受けるユーザ端末＃１は、図４のＤＭＲＳパターン＃２に基づいて、ＤＭＲＳを分離して、チャネル推定を行う。
【００６１】
つまり、このような場合、無線基地局１０が送信するＤＭＲＳのマッピングパターンと、ユーザ端末＃１が想定する（認識する）マッピングパターンとの間に齟齬が生じてしまう。その結果、ユーザ端末＃１は、無線基地局１０が送信するＤＭＲＳを適切に受信できないため、ＤＭＲＳの受信結果に基づくチャネル推定精度が劣化してしまう。
【００６２】
このようなチャネル推定精度の劣化を回避するために、無線基地局１０は、ユーザ端末＃１を含む各ユーザ端末２０に対して、パターン情報を通知する。
【００６３】
以下、パターン情報の第１から第３のバリエーションについて説明する。
【００６４】
＜パターン情報の第１のバリエーション＞
第１のバリエーションでは、無線基地局１０は、パターン情報として、合計ＤＭＲＳ送信ポート数（合計の送信レイヤ数）を各ユーザ端末２０へ通知する。
【００６５】
例えば、無線基地局１０が送信する合計送信ポート数が８の場合無線基地局１０は、パターン情報として、合計ＤＭＲＳ送信ポート数である「８」を通知する。
【００６６】
ユーザ端末２０は、パターン情報として、合計ＤＭＲＳ送信ポート数「８」を受信すると、無線基地局１０が適用するマッピングパターンがマッピングパターン＃１に切替えられたことを認識する。そして、ユーザ端末２０は、マッピングパターン＃１と、既に通知されている自身に割り当てられた送信ポート番号の情報に基づいて、無線基地局１０が送信するＤＭＲＳを受信し、ＤＭＲＳの受信結果に基づくチャネル推定を行う。
【００６７】
例えば、４つのユーザ端末（ユーザ端末＃１〜ユーザ端末＃４）に対して図３のマッピングパターン＃１のように８レイヤの送信を行う４ＵＥ−ＭＩＭＯにおいて、無線基地局１０が、ユーザ端末＃１にレイヤ＃１およびレイヤ＃２（ＤＭＲＳポート番号＃１および＃２）を割り当て、ユーザ端末＃２にレイヤ＃３およびレイヤ＃４（ＤＭＲＳポート番号＃３および＃４）を割り当て、ユーザ端末＃３にレイヤ＃５およびレイヤ＃６（ＤＭＲＳポート番号＃５および＃６）を割り当て、ユーザ端末＃４にレイヤ＃７およびレイヤ＃８（ＤＭＲＳポート番号＃７および＃８）を割り当てる例を説明する。
【００６８】
この場合、無線基地局１０は、ユーザ端末＃１に対して、割当情報として、ＤＭＲＳ送信ポート番号＃１および＃２を通知し、パターン情報として、合計ＤＭＲＳ送信ポート数である「８」を通知する。同様に、無線基地局１０は、ユーザ端末＃２に対して、割当情報として、ＤＭＲＳ送信ポート番号＃３および＃４を通知し、パターン情報として、合計ＤＭＲＳ送信ポート数である「８」を通知する。無線基地局１０は、ユーザ端末＃３に対して、割当情報として、ＤＭＲＳ送信ポート番号＃５および＃６を通知し、パターン情報として、合計ＤＭＲＳ送信ポート数である「８」を通知する。無線基地局１０は、ユーザ端末＃４に対して、割当情報として、ＤＭＲＳ送信ポート番号＃７および＃８を通知し、パターン情報として、合計ＤＭＲＳ送信ポート数である「８」を通知する。
【００６９】
＜パターン情報の第２のバリエーション＞
第２のバリエーションでは、無線基地局１０は、パターン情報として、マッピングパターンにおけるＤＭＲＳの送信シンボル数を各ユーザ端末２０へ通知する。
【００７０】
例えば、無線基地局１０が送信する合計ＤＭＲＳ送信ポート数が８でマッピングパターン＃１を適用する場合、無線基地局１０は、パターン情報として、マッピングパターン＃１におけるＤＭＲＳの送信シンボル数である「２」を通知する。
【００７１】
ユーザ端末２０は、パターン情報として、ＤＭＲＳの送信シンボル数「２」を受信すると、無線基地局１０が適用するマッピングパターンがマッピングパターン＃１に切替えられたことを認識する。そして、ユーザ端末２０は、マッピングパターン＃１と、既に通知されている自身に割り当てられた送信ポート番号の情報に基づいて、無線基地局１０が送信するＤＭＲＳを受信し、ＤＭＲＳの受信結果に基づくチャネル推定を行う。
【００７２】
例えば、４つのユーザ端末（ユーザ端末＃１〜ユーザ端末＃４）に対して図３のマッピングパターン＃１のように８レイヤの送信を行う４ＵＥ  ＭＵ−ＭＩＭＯにおいて、ユーザ端末＃１にレイヤ＃１およびレイヤ＃２（ＤＭＲＳポート番号＃１および＃２）を割り当て、ユーザ端末＃２にレイヤ＃３およびレイヤ＃４（ＤＭＲＳポート番号＃３および＃４）を割り当て、ユーザ端末＃３にレイヤ＃５およびレイヤ＃６（ＤＭＲＳポート番号＃５および＃６）を割り当て、ユーザ端末＃４にレイヤ＃７およびレイヤ＃８（ＤＭＲＳポート番号＃７および＃８）を割り当てる例を説明する。
【００７３】
この場合、無線基地局１０は、ユーザ端末＃１に対して、割当情報として、ＤＭＲＳ送信ポート番号＃１および＃２を通知し、パターン情報として、ＤＭＲＳの送信シンボル数である「２」を通知する。同様に、無線基地局１０は、ユーザ端末＃２に対して、割当情報として、ＤＭＲＳ送信ポート番号＃３および＃４を通知し、パターン情報として、ＤＭＲＳの送信シンボル数である「２」を通知する。無線基地局１０は、ユーザ端末＃３に対して、割当情報として、ＤＭＲＳ送信ポート番号＃５および＃６を通知し、パターン情報として、ＤＭＲＳの送信シンボル数である「２」を通知する。無線基地局１０は、ユーザ端末＃４に対して、割当情報として、ＤＭＲＳ送信ポート番号＃７および＃８を通知し、パターン情報として、ＤＭＲＳの送信シンボル数である「２」を通知する。
【００７４】
＜パターン情報の第３のバリエーション＞
第３のバリエーションでは、無線基地局１０は、パターン情報として、無線基地局１０がマッピングパターンを示すインデックス値を各ユーザ端末２０へ通知する。
【００７５】
例えば、無線基地局１０が５〜８レイヤ送信に対応するマッピングパターン＃１を適用する場合、無線基地局１０は、パターン情報として、マッピングパターン＃１に対応するインデックス値「１」を通知する。一方で、無線基地局１０が、１〜４レイヤ送信に対応するマッピングパターン＃２へ切替えた場合、無線基地局１０は、パターン情報として、マッピングパターン＃２に対応するインデックス値「０」を通知する。
【００７６】
ユーザ端末２０は、パターン情報として、インデックス値「１」を受信した場合、無線基地局１０が適用するマッピングパターンがマッピングパターン＃１であることを認識する。そして、ユーザ端末２０は、マッピングパターン＃１と、既に通知されている自身に割り当てられた送信ポート番号の情報に基づいて、無線基地局１０が送信するＤＭＲＳを受信し、ＤＭＲＳの受信結果に基づくチャネル推定を行う。
【００７７】
例えば、４つのユーザ端末（ユーザ端末＃１〜ユーザ端末＃４）に対して図３のマッピングパターン＃１のように８レイヤの送信を行う４ＵＥ−ＭＩＭＯにおいて、ユーザ端末＃１にレイヤ＃１およびレイヤ＃２（ＤＭＲＳポート番号＃１および＃２）を割り当て、ユーザ端末＃２にレイヤ＃３およびレイヤ＃４（ＤＭＲＳポート番号＃３および＃４）を割り当て、ユーザ端末＃３にレイヤ＃５およびレイヤ＃６（ＤＭＲＳポート番号＃５および＃６）を割り当て、ユーザ端末＃４にレイヤ＃７およびレイヤ＃８（ＤＭＲＳポート番号＃７および＃８）を割り当てる例を説明する。
【００７８】
この場合、無線基地局１０は、ユーザ端末＃１に対して、割当情報として、ＤＭＲＳポート番号＃１および＃２を通知し、パターン情報として、インデックス値「１」を通知する。同様に、無線基地局１０は、ユーザ端末＃２に対して、割当情報として、ＤＭＲＳポート番号＃３および＃４を通知し、パターン情報として、インデックス値「１」を通知する。無線基地局１０は、ユーザ端末＃３に対して、割当情報として、ＤＭＲＳポート番号＃５および＃６を通知し、パターン情報として、インデックス値「１」を通知する。無線基地局１０は、ユーザ端末＃４に対して、割当情報として、ＤＭＲＳポート番号＃７および＃８を通知し、パターン情報として、インデックス値「１」を通知する。
【００７９】
以上説明した第１の例および第１の例におけるパターン情報の各バリエーションでは、２つのマッピングパターンのレイヤ数が異なる例について説明した。次に、第２の例として、２つの４レイヤのＤＭＲＳのマッピングパターンの例を説明する。
【００８０】
＜第２の例＞
図５は、第２の例のマッピングパターンを示す図である。図５には、４レイヤのＤＭＲＳのマッピングパターン＃３とマッピングパターン＃４が示される。各マッピングパターンは、リソース割り当て単位となるＲＵにおける、各レイヤのＤＭＲＳのマッピング位置を示す。
【００８１】
ＲＵの先頭の２シンボル（つまり、ＳＢ１およびＳＢ２）のＲＥには、制御信号チャネル（例えば、ＰＤＣＣＨ）が配置される。
【００８２】
マッピングパターン＃３は、レイヤ＃１〜レイヤ＃４（Layer #1〜Layer #4）の４レイヤのＤＭＲＳが２つの連続するシンボル（ＳＢ３およびＳＢ４）において配置されるパターンである。マッピングパターン＃４は、レイヤ＃１〜レイヤ＃４の４レイヤのＤＭＲＳが１つのシンボル（ＳＢ３）において配置されるパターンである。
【００８３】
マッピングパターン＃３における時間方向の異なるレイヤのＤＭＲＳ（例えば、ＳＣ１のＳＢ３とＳＢ４に配置されるレイヤ＃１およびレイヤ＃２のＤＭＲＳ）は、例えば、RepetitionまたはＴＤ−ＯＣＣにより多重される。
【００８４】
マッピングパターン＃４のＳＢ３におけるレイヤ＃１〜レイヤ＃４のＤＭＲＳの配置は、マッピングパターン＃３のＳＢ３におけるレイヤ＃１〜レイヤ＃４のＤＭＲＳの配置と同様である。つまり、マッピングパターン＃４の配置は、マッピングパターン＃３の配置の一部から構成され、マッピングパターン＃３の配置は、マッピングパターン＃４の配置を含む構成を採る。
【００８５】
無線基地局１０は、各ユーザ端末２０に対してレイヤ（ポート番号）を割り当て、マッピングパターン＃１またはマッピングパターン＃２のいずれかを選択し、選択したマッピングパターンに基づいて、各ユーザ端末２０に割り当てたレイヤ（ポート番号）のＤＭＲＳを含む下りリンク信号を送信する。
【００８６】
ここで、無線基地局１０が、複数のユーザ端末２０（例えば、ユーザ端末＃１および＃２）それぞれに対して、レイヤ＃１とレイヤ＃２（ポート＃１およびポート＃２）およびレイヤ＃３とレイヤ＃４（ポート＃３およびポート＃４）を割り当てる例について説明する。
【００８７】
図５のマッピングパターン＃３におけるレイヤ＃１とレイヤ＃２のＤＭＲＳの配置は、図４のＤＭＲＳパターン＃１と同様であり、図５のマッピングパターン＃４におけるレイヤ＃１とレイヤ＃２のＤＭＲＳの配置は、図４のＤＭＲＳパターン＃２と同様である。
【００８８】
つまり、第１の例において説明したように、レイヤ数（ポート番号の数）が同じ図５の２つのマッピングパターンのいずれかが適用される場合でも、無線基地局１０が送信するＤＭＲＳのマッピングパターンと、ユーザ端末＃１（および／またはユーザ端末＃２）が想定する（認識する）マッピングパターンとの間に齟齬が生じてしまう。その結果、ユーザ端末＃１（および／またはユーザ端末＃２）は、無線基地局１０が送信するＤＭＲＳを適切に受信できないため、ＤＭＲＳの受信結果に基づくチャネル推定精度が劣化してしまう。
【００８９】
このようなチャネル推定精度の劣化を回避するために、無線基地局１０は、ユーザ端末＃１（およびユーザ端末＃２）を含む各ユーザ端末２０に対して、無線基地局１０がマッピングパターンを示すパターン情報を通知する。
【００９０】
第２の例において通知されるパターン情報は、第１の例と同様であるので詳細な説明は省略する。ただし、第２の例では、図５に示すように、適用される２つのマッピングパターンの合計ＤＭＲＳ送信ポート数が互いに同一であるので、第１の例において説明したパターン情報の第１のバリエーションは、使用されない。第１の例において説明したパターン情報の第２のバリエーションおよび第３のバリエーションは、第２の例においても使用される。
【００９１】
なお、上述した例では、２つのユーザ端末（ユーザ端末＃１およびユーザ端末＃２）に対するＭＵ−ＭＩＭＯについて説明したが、１つのユーザ端末（ユーザ端末＃１）に対するＳＵ−ＭＩＭＯであっても良い。
【００９２】
例えば、ユーザ端末＃１にレイヤ＃１、レイヤ＃２、レイヤ＃３およびレイヤ＃４（ＤＭＲＳ送信ポート番号＃１〜＃４）を割り当てる場合、無線基地局１０は、ユーザ端末＃１に対して、割当情報として、ＤＭＲＳ送信ポート番号＃１〜＃４を通知する。
【００９３】
そして、無線基地局１０は、パターン情報として上述した第２のバリエーションを使用する場合、マッピングパターン＃３またはマッピングパターン＃４のどちらを適用するかに応じて、適用するマッピングパターンのＤＭＲＳの送信シンボル数である「１」または「２」のいずれかを通知する。また、無線基地局１０は、パターン情報として上述した第３のバリエーションを使用する場合、マッピングパターン＃３またはマッピングパターン＃４のどちらを適用するかに応じて、適用するマッピングパターンに対応づけられたインデックス値である「０」または「１」のいずれかを通知する。
【００９４】
なお、上述した第１の例および第２の例では、１６８個のＲＥが時間方向に１４個、周波数方向に１２個並んだ構成を有するＲＵにおけるマッピングパターンについて説明したが、本発明はこれに限定されない。例えば、ミニスロットと呼ばれるリソース割り当て単位におけるＤＭＲＳのマッピングに対しても、本発明は適用される。以下、リソース割り当て単位がミニスロットの場合におけるＤＭＲＳのマッピングパターンの例を説明する。
【００９５】
＜ミニスロットにおける第１の例＞
図６は、ミニスロットにおける第１の例のマッピングパターンを示す図である。図６には、８レイヤのＤＭＲＳのマッピングパターン＃Ａと、４レイヤのＤＭＲＳのマッピングパターン＃Ｂが示される。各マッピングパターンは、リソース割り当て単位となるミニスロットにおける、各レイヤのＤＭＲＳのマッピング位置を示す。
【００９６】
図６のミニスロットは、ＲＥが周波数方向に１２個、時間方向にＫ個（Ｋは、１以上１４以下の整数）並んだ構成を有する（一部の構成は図示せず）。
【００９７】
ミニスロットの先頭の１シンボル（つまり、ＳＢ１）のＲＥには、制御信号チャネル（例えば、ＰＤＣＣＨ）が配置される。
【００９８】
マッピングパターン＃Ａは、レイヤ＃１〜レイヤ＃８（Layer #1〜Layer #8）の８レイヤのＤＭＲＳが２つの連続するシンボル（ＳＢ２およびＳＢ３）において配置されるパターンである。マッピングパターン＃Ｂは、レイヤ＃１〜レイヤ＃４の４レイヤのＤＭＲＳが１つのシンボル（ＳＢ２）において配置されるパターンである。
【００９９】
マッピングパターン＃Ａおよびマッピングパターン＃Ｂは、同一レイヤのＤＭＲＳが、１サブキャリア分の間隔を空けて配置される。この配置は、「Ｃｏｍｂ２」もしくは「ＩＦＤＭ（ＲＰＦ＝２）」と呼ばれても良い。
【０１００】
マッピングパターン＃Ａにおいて、同一のＲＥに配置される異なるレイヤのＤＭＲＳ（例えば、ＳＣ１のＳＢ２とＳＢ３に配置されるレイヤ＃１、レイヤ＃２、レイヤ＃５およびレイヤ＃７のＤＭＲＳ）は、例えば、巡回シフト（ＣＳ：Cyclic Shift）とＴＤ−ＯＣＣとにより多重される。あるいは、同一のＲＥに配置される異なるレイヤのＤＭＲＳは、ＣＳとRepetitionとにより多重される。
【０１０１】
また、マッピングパターン＃Ｂにおいて、同一のＲＥに配置される異なるレイヤのＤＭＲＳ（例えば、ＳＣ１のＳＢ２に配置されるレイヤ＃１およびレイヤ＃２のＤＭＲＳ）は、例えば、ＣＳにより多重される。
【０１０２】
マッピングパターン＃ＢのＳＢ２におけるレイヤ＃１〜レイヤ＃４のＤＭＲＳの配置は、マッピングパターン＃ＡのＳＢ２におけるレイヤ＃１〜レイヤ＃４のＤＭＲＳの配置と同様である。つまり、マッピングパターン＃Ｂの配置は、マッピングパターン＃Ａの配置の一部から構成され、マッピングパターン＃Ａの配置は、マッピングパターン＃Ｂの配置を含む構成を採る。
【０１０３】
無線基地局１０は、各ユーザ端末２０に対してレイヤ（ポート番号）を割り当て、マッピングパターン＃Ａまたはマッピングパターン＃Ｂのいずれかを選択し、選択したマッピングパターンに基づいて、各ユーザ端末２０に割り当てたレイヤ（ポート番号）のＤＭＲＳを含むミニスロット構成の下りリンク信号を送信する。
【０１０４】
＜ミニスロットにおける第２の例＞
図７は、ミニスロットにおける第２の例のマッピングパターンを示す図である。図７には、８レイヤのＤＭＲＳのマッピングパターン＃Ｃと、４レイヤのＤＭＲＳのマッピングパターン＃Ｄが示される。各マッピングパターンは、リソース割り当て単位となるミニスロットにおける、各レイヤのＤＭＲＳのマッピング位置を示す。
【０１０５】
図７のミニスロットは、ＲＥが周波数方向に１２個、時間方向にＫ個（Ｋは、１以上１４以下の整数）並んだ構成を有する。
【０１０６】
ミニスロットの先頭の１シンボル（つまり、ＳＢ１）のＲＥには、制御信号チャネル（例えば、ＰＤＣＣＨ）が配置される。
【０１０７】
マッピングパターン＃Ｃは、レイヤ＃１〜レイヤ＃８（Layer #1〜Layer #8）の８レイヤのＤＭＲＳが２つの連続するシンボル（ＳＢ２およびＳＢ３）において配置されるパターンである。マッピングパターン＃Ｄは、レイヤ＃１〜レイヤ＃４の４レイヤのＤＭＲＳが１つのシンボル（ＳＢ２）において配置されるパターンである。
【０１０８】
マッピングパターン＃Ｃおよびマッピングパターン＃Ｄは、同一レイヤのＤＭＲＳが、３サブキャリア分の間隔を空けて配置される。この配置は、「Ｃｏｍｂ４」もしくは「ＩＦＤＭ（ＲＰＦ＝４）」と呼ばれても良い。
【０１０９】
マッピングパターン＃Ｃにおいて、同一のＲＥに配置される異なるレイヤのＤＭＲＳ（例えば、ＳＣ１のＳＢ２とＳＢ３に配置されるレイヤ＃４およびレイヤ＃８のＤＭＲＳ）は、例えば、ＣＳとRepetitionとにより多重される。
【０１１０】
マッピングパターン＃ＤのＳＢ２におけるレイヤ＃１〜レイヤ＃４のＤＭＲＳの配置は、マッピングパターン＃ＣのＳＢ２におけるレイヤ＃１〜レイヤ＃４のＤＭＲＳの配置と同様である。つまり、マッピングパターン＃Ｄの配置は、マッピングパターン＃Ｃの配置の一部から構成され、マッピングパターン＃Ｃの配置は、マッピングパターン＃Ｄの配置を含む構成を採る。
【０１１１】
無線基地局１０は、各ユーザ端末２０に対してレイヤ（ポート番号）を割り当て、マッピングパターン＃Ｃまたはマッピングパターン＃Ｄのいずれかを選択し、選択したマッピングパターンに基づいて、各ユーザ端末２０に割り当てたレイヤ（ポート番号）のＤＭＲＳを含むミニスロット構成の下りリンク信号を送信する。
【０１１２】
＜ミニスロットにおける第３の例＞
図８は、ミニスロットにおける第３の例のマッピングパターンを示す図である。図８には、１２レイヤのＤＭＲＳのマッピングパターン＃Ｅと、６レイヤのＤＭＲＳのマッピングパターン＃Ｆが示される。各マッピングパターンは、リソース割り当て単位となるミニスロットにおける、各レイヤのＤＭＲＳのマッピング位置を示す。
【０１１３】
図８のミニスロットは、ＲＥが周波数方向に１２個、時間方向にＫ個（Ｋは、１以上１４以下の整数）並んだ構成を有する。
【０１１４】
ミニスロットの先頭の２シンボル（つまり、ＳＢ１およびＳＢ２）のＲＥには、制御信号チャネル（例えば、ＰＤＣＣＨ）が配置される。
【０１１５】
マッピングパターン＃Ｅは、レイヤ＃１〜レイヤ＃１２（Layer #1〜Layer #12）の１２レイヤのＤＭＲＳが２つの連続するシンボル（ＳＢ３およびＳＢ４）において配置されるパターンである。マッピングパターン＃Ｆは、レイヤ＃１〜レイヤ＃６の６レイヤのＤＭＲＳが１つのシンボル（ＳＢ３）において配置されるパターンである。
【０１１６】
マッピングパターン＃Ｅにおいて、同一のＲＥに配置される異なるレイヤのＤＭＲＳ（例えば、ＳＣ１およびＳＣ２のＳＢ３に配置されるレイヤ＃１およびレイヤ＃２のＤＭＲＳ）は、例えば、ＦＤ−ＯＣＣ（周波数方向のＯＣＣ系列による多重）により多重される。そして、ＦＤ−ＯＣＣとＦＤＭ（周波数分割多重）とＴＤＭ（時分割多重）とを組み合わせて各レイヤのＤＭＲＳが多重される。
【０１１７】
マッピングパターン＃Ｆにおいて、同一のＲＥに配置される異なるレイヤのＤＭＲＳ（例えば、ＳＣ１およびＳＣ２のＳＢ３に配置されるレイヤ＃１およびレイヤ＃２のＤＭＲＳ）は、例えば、ＦＤ−ＯＣＣにより多重される。そして、ＦＤＭを組み合わせて各レイヤのＤＭＲＳが多重される。
【０１１８】
マッピングパターン＃ＦのＳＢ３におけるレイヤ＃１〜レイヤ＃６のＤＭＲＳの配置は、マッピングパターン＃ＥのＳＢ３におけるレイヤ＃１〜レイヤ＃６のＤＭＲＳの配置と同様である。つまり、マッピングパターン＃Ｆの配置は、マッピングパターン＃Ｅの配置の一部から構成され、マッピングパターン＃Ｅの配置は、マッピングパターン＃Ｆの配置を含む構成を採る。
【０１１９】
無線基地局１０は、各ユーザ端末２０に対してレイヤ（ポート番号）を割り当て、マッピングパターン＃Ｅまたはマッピングパターン＃Ｆのいずれかを選択し、選択したマッピングパターンに基づいて、各ユーザ端末２０に割り当てたレイヤ（ポート番号）のＤＭＲＳを含むミニスロット構成の下りリンク信号を送信する。
【０１２０】
＜ミニスロットにおける第４の例＞
図９は、ミニスロットにおける第４の例のマッピングパターンを示す図である。図９には、１２レイヤのＤＭＲＳのマッピングパターン＃Ｇと、６レイヤのＤＭＲＳのマッピングパターン＃Ｈが示される。各マッピングパターンは、リソース割り当て単位となるミニスロットにおける、各レイヤのＤＭＲＳのマッピング位置を示す。
【０１２１】
図９のミニスロットは、ＲＥが周波数方向に１２個、時間方向にＫ個（Ｋは、１以上１４以下の整数）並んだ構成を有する。
【０１２２】
ミニスロットの先頭の２シンボル（つまり、ＳＢ１およびＳＢ２）のＲＥには、制御信号チャネル（例えば、ＰＤＣＣＨ）が配置される。
【０１２３】
マッピングパターン＃Ｇは、レイヤ＃１〜レイヤ＃１２（Layer #1〜Layer #12）の１２レイヤのＤＭＲＳが２つの連続するシンボル（ＳＢ３およびＳＢ４）において配置されるパターンである。マッピングパターン＃Ｈは、レイヤ＃１〜レイヤ＃６の６レイヤのＤＭＲＳが１つのシンボル（ＳＢ３）において配置されるパターンである。
【０１２４】
マッピングパターン＃Ｇにおいて、同一のＲＥに配置される異なるレイヤのＤＭＲＳ（例えば、ＳＣ１およびＳＣ２のＳＢ３およびＳＢ４に配置されるレイヤ＃１、レイヤ＃２、レイヤ＃７およびレイヤ＃８のＤＭＲＳ）は、例えば、ＦＤ−ＯＣＣとＴＤ−ＯＣＣにより多重される。そして、ＦＤ−ＯＣＣとＴＤ−ＯＣＣとＦＤＭとを組み合わせて各レイヤのＤＭＲＳが多重される。
【０１２５】
マッピングパターン＃Ｈにおいて、同一のＲＥに配置される異なるレイヤのＤＭＲＳ（例えば、ＳＣ１およびＳＣ２のＳＢ３に配置されるレイヤ＃１およびレイヤ＃２のＤＭＲＳ）は、例えば、ＦＤ−ＯＣＣにより多重される。そして、ＦＤＭを組み合わせて各レイヤのＤＭＲＳが多重される。
【０１２６】
マッピングパターン＃ＨのＳＢ３におけるレイヤ＃１〜レイヤ＃６のＤＭＲＳの配置は、マッピングパターン＃ＧのＳＢ３におけるレイヤ＃１〜レイヤ＃６のＤＭＲＳの配置と同様である。つまり、マッピングパターン＃Ｈの配置は、マッピングパターン＃Ｇの配置の一部から構成され、マッピングパターン＃Ｇの配置は、マッピングパターン＃Ｈの配置を含む構成を採る。
【０１２７】
無線基地局１０は、各ユーザ端末２０に対してレイヤ（ポート番号）を割り当て、マッピングパターン＃Ｇまたはマッピングパターン＃Ｈのいずれかを選択し、各ユーザ端末２０に割り当てたレイヤ（ポート番号）のＤＭＲＳを含むミニスロット構成の下りリンク信号を送信する。
【０１２８】
上述したミニスロットの各例（第１の例〜第４の例）では、上述したリソースユニットの例（第１の例および第２の例）と同様に、無線基地局１０は、各ユーザ端末２０に対して、無線基地局１０がマッピングパターンを示すパターン情報を通知する。
【０１２９】
リソース割り当て単位がミニスロットの場合のパターン情報は、上述したリソースユニットの場合のパターン情報と同様に、第１のバリエーションから第３のバリエーションのいずれかが使用されても良い。
【０１３０】
＜本実施の形態の効果＞
本実施の形態では、ＤＭＲＳのマッピングパターンが、予め用意された複数のマッピングパターンから切替えられて、１つのマッピングパターンが選択される。そして、無線基地局１０が、マッピングパターンを示すパターン情報をユーザ端末２０に通知を行うことにより、ユーザ端末２０は、自身宛のＤＭＲＳのマッピング位置（および／またはＤＭＲＳの個数）を一意に決め、ユーザ端末２０と無線基地局１０との間での齟齬を回避できるため、ＤＭＲＳ等の参照信号を適切に受信でき、チャネルの推定精度の劣化を回避できる。
【０１３１】
なお、本実施の形態では、１つのＲＵが、１４シンボルと１２サブキャリアとにより構成される例について説明したが、本発明はこれに限定されない。ＲＵのサイズは、変更されても良い。
【０１３２】
また、本実施の形態では、ＲＵの先頭の２シンボル（つまり、ＳＢ１およびＳＢ２）のＲＥ、および、ミニスロットの先頭の１シンボル（ＳＢ１）または２シンボル（ＳＢ１およびＳＢ２）のＲＥに、制御信号チャネル（例えば、ＰＤＣＣＨ）が配置される例について説明したが、制御信号チャネルの配置はこれに限定されない。また、制御信号チャネルが、ＲＵに配置されなくても良いし、一部のＲＥにのみ配置されても良い。
【０１３３】
また、本実施の形態におけるレイヤの数（ポートの数）は、あくまで例示であり、本発明はこれに限定されない。
【０１３４】
また、本実施の形態の各例では、主に、マッピングパターンの数が２である例について説明したが、本発明はこれに限定されない。例えば、マッピングパターンの数は、３以上であっても良い。また、２つのマッピングパターン（例えば、マッピングパターン＃１とマッピングパターン＃２）のうち、１つのマッピングパターン（例えば、マッピングパターン＃２）の配置が、他のマッピングパターン（例えば、マッピングパターン＃１）の配置の一部から構成される例について説明したが、本発明はこれに限定されない。
【０１３５】
また、本実施の形態では、主に、ＲＵの３シンボル目（ＳＢ３）または４シンボル目（ＳＢ４）にＤＭＲＳが配置される例について説明したが、本発明はこれに限定されない。ＤＭＲＳが５シンボル目以降に配置されていても良いし、２シンボル目以前に配置されても良い。また、制御チャネルのサイズに応じて配置が決定されても良い。
【０１３６】
例えば、ＲＵの先頭の方に配置されるＤＭＲＳ（例えば、Front-loaded DMRS）の他に、Additional DMRSが配置されていても良い。Additional DMRSは、例えば、ユーザ端末２０が高速に移動している場合などにおいてチャネルの時間変動への追従性を高めるために配置されるＤＭＲＳである。
【０１３７】
また、本発明を適用するＤＭＲＳについて特に限定されない。例えば、本発明は、上述したFront loaded DMRSのみに適用されても良いし、Additional DMRSのみに適用されても良いし、両方に適用されても良い。
【０１３８】
また、上述した実施の形態では、主に、無線基地局１０がユーザ端末２０に対して送信する下りリンク信号におけるＤＭＲＳを一例に挙げて説明したが、本発明はこれに限定されない。ユーザ端末２０が無線基地局１０に対して送信する上りリンク信号におけるＤＭＲＳに対しても、本発明は適用される。この場合、無線基地局１０は、無線基地局１０がＤＭＲＳを受信するレイヤ（受信ポート番号）を設定し、上りリンク信号におけるＤＭＲＳのマッピングパターンを選択する。そして、無線基地局１０は、パターン情報として、例えば、選択したマッピングパターンにおける合計ＤＭＲＳ受信ポート数、受信シンボル数、または、インデックス値を通知する。これにより、ユーザ端末２０は、ユーザ端末２０が送信する（つまり、無線基地局１０が受信する）ＤＭＲＳのマッピング位置（および／またはＤＭＲＳの個数）を一意に決め、ユーザ端末２０と無線基地局１０との間での齟齬を回避できるため、無線基地局１０がＤＭＲＳ等の参照信号を適切に受信でき、チャネルの推定精度の劣化を回避できる。
【０１３９】
また、本発明を適用するＲＵおよび／またはミニスロットについて特に限定されない。幅広いキャリア周波数がサポートされる場合、すべてのキャリア周波数におけるＲＵおよび／またはミニスロットに対して本発明を適用しても良いし、一部のキャリア周波数におけるＲＵおよび／またはミニスロットに対して本発明を適用しても良い。
【０１４０】
以上、本発明の各実施の形態について説明した。
【０１４１】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１４２】
例えば、本発明の一実施の形態における無線基地局、ユーザ端末などは、本発明の無線通信方法の処理を行うコンピュータとして機能してもよい。図１０は、本発明の一実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１４３】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１４４】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１４５】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１４６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のスケジューラ１０１、制御部１０８，２０３、送信信号生成部１０２，２０６、符号化・変調部１０３，２０７、マッピング部１０４，２０８、チャネル推定部１０９，２０４、復調・復号部１１０，２０５などは、プロセッサ１００１で実現されてもよい。
【０１４７】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０のスケジューラ１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１４８】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１４９】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１５０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０５，２０９、アンテナ１０６，２０１、受信部１０７，２０２などは、通信装置１００４で実現されてもよい。
【０１５１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１５２】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１５３】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１５４】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１５５】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１５６】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１５７】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１５８】
（入出力の方向）
情報及び信号等は、上位レイヤ(または下位レイヤ)から下位レイヤ(または上位レイヤ)に出力され得る。複数のネットワークノードを介して入出力されてもよい。
【０１５９】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１６０】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１６１】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１６２】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１６３】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１６４】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１６５】
（「システム」、「ネットワーク」）
本明細書で使用する「システム」および「ネットワーク」という用語は、互換的に使用される。
【０１６６】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１６７】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１６８】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「ｇＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、ｇＮｏｄｅＢ、アクセスポイント（access point）、フェムトセル、スモールセルなどの用語で呼ばれる場合もある。
【０１６９】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１７０】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１７１】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１７２】
参照信号は、ＲＳ（Reference Signal）と略称することもでき、適用される標準によってパイロット（Pilot）と呼ばれてもよい。また、ＤＭＲＳは、対応する別の呼び方、例えば、復調用ＲＳまたはＤＭ−ＲＳなどであってもよい。
【０１７３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１７４】
上記の各装置の構成における「部」を、「手段」、「回路」、「デバイス」等に置き換えてもよい。
【０１７５】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１７６】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１７７】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０１７８】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１７９】
例えば、１サブフレームをＴＴＩと呼んでもよいし、複数の連続したサブフレームをＴＴＩと呼んでもよいし、１スロットをＴＴＩと呼んでもよいし、１ミニスロットをＴＴＩと呼んでもよい。
【０１８０】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１８１】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０１８２】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１８３】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１８４】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１８５】
本発明の一態様は、移動通信システムに有用である。
【符号の説明】
【０１８６】
１０  無線基地局
２０  ユーザ端末
１０１  スケジューラ
１０２，２０６  送信信号生成部
１０３，２０７  符号化・変調部
１０４，２０８  マッピング部
１０５，２０９  送信部
１０６，２０１  アンテナ
１０７，２０２  受信部
１０８，２０３  制御部
１０９，２０４  チャネル推定部
１１０，２０５  復調・復号部
【図１】
2018229955.tif 000003
【図２】
2018229955.tif 000004
【図３】
2018229955.tif 000005
【図４】
2018229955.tif 000006
【図５】
2018229955.tif 000007
【図６】
2018229955.tif 000008
【図７】
2018229955.tif 000009
【図８】
2018229955.tif 000010
【図９】
2018229955.tif 000011
【図１０】
2018229955.tif 000012
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
復調用参照信号のマッピングのパターンを示す情報を含むDCI (Downlink Control Information)を受信する受信部と、
前記復調用参照信号のマッピングのパターンを示す情報に基づいて、前記復調用参照信号の受信を制御する制御部と、
を備えた、端末。
【請求項２】
前記復調用参照信号のマッピングのパターンは、前記復調用参照信号がマッピングされるシンボル数を含む、
請求項１に記載の端末。
【請求項３】
前記復調用参照信号のマッピングのパターンは、符号多重される前記復調用参照信号のグループの数を含む、
請求項１に記載の端末。
【請求項４】
前記復調用参照信号のマッピングは、下りリンク信号を構成するシンボル数に対応して適用される、
請求項１に記載の端末。
【請求項５】
復調用参照信号のマッピングのパターンを示す情報を含むDCI (Downlink Control Information)を受信する受信部と、
前記復調用参照信号のマッピングのパターンを示す情報に基づいて、前記復調用参照信号の送信を制御する制御部と、
を備えた、端末。
【請求項６】
前記復調用参照信号のマッピングのパターンは、前記復調用参照信号がマッピングされるシンボル数を含む、
請求項５に記載の端末。
【請求項７】
前記復調用参照信号のマッピングのパターンは、符号多重される前記復調用参照信号のグループの数を含む、
請求項５に記載の端末。
【請求項８】
前記復調用参照信号のマッピングは、上りリンク信号を構成するシンボル数に対応して適用される、
請求項５に記載の端末。
【請求項９】
復調用参照信号のマッピングのパターンを示す情報を含むDCI (Downlink Control Information)を受信し、
前記復調用参照信号のマッピングのパターンを示す情報に基づいて、前記復調用参照信号の送信を制御する、
無線通信方法。
【手続補正３】
【補正対象書類名】明細書
【補正対象項目名】０００１
【補正方法】変更
【補正の内容】
【０００１】
本発明は、端末及び無線通信方法に関する。
【手続補正４】
【補正対象書類名】明細書
【補正対象項目名】０００７
【補正方法】変更
【補正の内容】
【０００７】
本発明はかかる点に鑑みてなされたものであり、参照信号を適切に受信でき、チャネルの推定精度の劣化を回避できる端末及び無線通信方法を提供することを目的の一つとする。
【手続補正５】
【補正対象書類名】明細書
【補正対象項目名】０００８
【補正方法】変更
【補正の内容】
【０００８】
本発明の一態様に係る端末は、復調用参照信号のマッピングのパターンを示す情報を含むDCI (Downlink Control Information)を受信する受信部と、前記復調用参照信号のマッピングのパターンを示す情報に基づいて、前記復調用参照信号の受信を制御する制御部と、を備える。
【国際調査報告】
2018229955.tif 000013
2018229955.tif 000014
2018229955.tif 000015
2018229955.tif 000016